(57)【要約】【課題】  従来の技術を文献に基づき説明すると、縦樋に二重構造の取水管を採用することで、ゴミのない雨水を雨水タンクに導くことが特徴であるが、縦樋を流下する雨水の流れの確保と、縦樋の詰りを流下する雨水を利用して解消することを意図しない。またこの文献は、縦樋の流れの確保及び／又は流下する雨水を利用した縦樋の詰りを解消するための構成は、全く開示されていない。【構成】  本発明は、上部・下部開口を備えた二重構造の本体筒でなる流下管に介在する流体継ぎ手であって、二重構造で形成した中間の空間を空気導入用として利用し、かつ空間の下端に空気排気用の環状開口を形成し、また本体筒の上部に空間と連通し、かつ外部に開口する空気取入れ筒を形成し、そして、空間の下端に設けた空気排気用の環状開口が、本体筒の略中間部位に開放する構成とした流体継ぎ手である。【選択図】      図１
2007016817.tif 000002
【特許請求の範囲】
【請求項１】
上部開口と下部開口を備えた二重構造の本体筒でなる流下管に介在する流体継ぎ手であって、
この二重構造で形成した中間の空間を空気導入用として利用するとともに、この空間の下端に空気排気用の環状開口を形成し、また前記本体筒の上部に前記空間と連通する空気取入れ筒を形成し、この空気取入れ筒の自由端を開口し、また前記空間の下端に設けた前記空気排気用の環状開口が、前記本体筒の略中間部位に開放する構成とした流体継ぎ手。
【請求項２】
請求項１に記載の本体筒を、上下部開口を有する上部筒部と、上下部開口を有する下部筒部で構成し、前記上部筒部に前記空気取入れ筒を設ける構成とした流体継ぎ手。
【請求項３】
請求項１に記載の空気排気用の環状開口が、下部筒部の上部開口のやや上方で開口し、この部位に混合流域を形成する構成とした流体継ぎ手。
【請求項４】
請求項１に記載の流体継ぎ手を、縦樋の流下管に配備する構成とした流体継ぎ手。
【請求項５】
請求項１に記載の流体継ぎ手を、洗面台の流下管に配備し、前記空気取入れ筒に配管を接続し、この配管を前記洗面台に配備する構成とした流体継ぎ手。
【請求項６】
請求項１に記載の流体継ぎ手を、浴槽の流下管に配備し、前記空気取入れ筒に配管を接続し、この配管を前記浴槽に配備する構成とした流体継ぎ手。
【発明の詳細な説明】
【技術分野】
【０００１】
本発明は、縦樋、洗面台、浴槽、トイレ、貯水槽、配管等の流下管（排水管、供給管等の管であり、原則として、流体の縦横又は傾斜等の流れを確保できる管を含む）に介在する流体継ぎ手に関する。
【背景技術】
【０００２】
この種の流下管の詰り防止及び／又は流れの確保、或は溢出防止を意図した先行文献は、下記に挙げるもの「文献（１）〜（３）」と、本出願人に係る先行文献「文献（４）」が挙げられるので、従来技術として説明する。
【０００３】
文献（１）は、特開２００１−２７９７２６の「縦樋取水装置」である。この発明は、縦樋内を流下する雨水を、この縦樋に設けた取水器と取水管路を介して外部の貯水槽へ雨水を導くための取水器の改良である。その構成は、縦樋を、上部縦樋とこの上部縦樋に離間して設けた下部縦樋部で構成し、この上下縦樋間に外嵌可能な取水器として機能する集水タンクを設け、この集水タンク内に水位調整用の堰を備えたフロート部を形成するとともに、このフロート部の下部に取水管路（排水管）を設けた構成である。またこの下部縦樋部を集水タンクに対してほぼ上下方向へ移動可能としたことを特徴としている。
【０００４】
文献（２）は、特開２００２−７００８６の「雨水取水継手」である。この発明は、ゴミが詰まりにくく、かつゴミが詰まっても清掃作業及び／又は取外しも容易な雨水取水継手を提供することを意図する。その構成は、上側縦樋と、下側縦樋を下部に連通する本雨水取水継手との間に所定の距離をおき、この本雨水取水継手を二重構造とするとともに、その上部に濾過部材を配し、この濾過部材で細くされたゴミは、二重構造の内筒体を介して前記下側縦樋に流下し、またゴミを取除かれた雨水のみが、前記二重構造の外筒体を介して、この外筒体と、この外筒体に設けた取水管を介して雨水タンクに導かれることを特徴とする。
【０００５】
文献（３）は、特開２００２−１２９６０３の「雨水取入装置」である。この発明は、初期小雨を、縦樋を通って取水装置に流し込み、上部および下部オリフィス孔をそれぞれ素通りして再び縦樋に戻ることで、初期小雨に含まれる大気中の埃や排気ガス、又は屋根、樋に堆積した埃を貯留槽に流し込まないようにすることを意図する。その構成は、縦樋に設けられた二重構造の取水器であり、この取水器の外筒体に棚板を設けて導入室とフロート室に区画し、棚板に上部オリフィス孔とバイパス孔を開設するとともに、前記外筒体を縦樋と連通し、また二重構造の内筒体を、外筒体の一部を介して縦樋に連通し、さらに前記外筒体に設けたフィルタを介して濾過された雨水を、この外筒体に設けたフロート及び／又はオリフィス弁と、取水口及び取水管を介して雨水貯留槽に導くことを特徴とする。
【０００６】
文献（４）は、特開平１０−２３１９７８号の「ドレンホース継手」である。この発明は、室内ユニットの受皿からの逆流防止を図り、かつこの逆流によるトラブル解消を意図する。その構成は、ドレンホースと連結ホースとの間に、室内ユニットの受皿の深さ寸法より小さい重なり寸法を有するドレン用ニップルとホース用ニップルを設けるように構成することを特徴とする。
【０００７】
【特許文献１】特開２００１−２７９７２６
【特許文献２】特開２００２−７００８６
【特許文献３】特開２００２−１２９６０３
【特許文献４】特開平１０−２３１９７８号
【発明の開示】
【発明が解決しようとする課題】
【０００８】
前記文献（１）〜（３）は二重構造の取水管を採用することで、ゴミのない雨水を雨水タンクに導くことを特徴とする。従って、縦樋を流下する雨水の流れの確保と、この縦樋の詰りを流下する雨水を利用して解消することは意図しない。またこの文献（１）〜（３）には、この縦樋の流れの確保及び／又は流下する雨水を利用し、この縦樋の詰りを解消するための構成は、全く開示されていない。さらにこの文献（１）〜（３）の構成では、洗面台、浴槽、トイレ等の流下管への採用は不可である。
【０００９】
また文献（４）は室内ユニットの受皿からの逆流防止を図ることを特徴とする。従って、ドレンホースを流下するドレンの流れの確保と、このドレンホースの詰りを流下するドレン水を利用して解消するには十分でないと考えられる。またこのドレンホースの流れの確保及び／又は流下するドレン水を利用して詰りを解消するための直接的な構成の開示はない。
【課題を解決するための手段】
【００１０】
請求項１の発明は、流水管を二重構造とするとともに、この流下管に設けた空気取入れ筒を設ける構成を採用し、外気の取入れ及び／又は必要量の外気の取入れを図ることで、この流下管の流水の流れを確保すること、またこの流下管の詰りを、流水の水流を利用して解消すること等を意図する。またこの発明は、前記の目的を達成するために最適な流水管の二重構造、またこの流下管に設けた空気取入れ筒及び空気排気用の環状開口の構造を提供することを意図する。
【００１１】
請求項１は、上部開口と下部開口を備えた二重構造の本体筒でなる流下管に介在する流体継ぎ手であって、
この二重構造で形成した中間の空間を空気導入用として利用するとともに、この空間の下端に空気排気用の環状開口を形成し、また前記本体筒の上部に前記空間と連通する空気取入れ筒を形成し、この空気取入れ筒の自由端を開口し、また前記空間の下端に設けた前記空気排気用の環状開口が、前記本体筒の略中間部位に開放する構成とした流体継ぎ手である。
【００１２】
請求項２の発明は、請求項１の目的を達成すること、この目的を達成するのに最適な本体筒と、空気取入れ筒の構造を提供すること等を意図する。
【００１３】
請求項２は、請求項１に記載の本体筒を、上下部開口を有する上部筒部と、上下部開口を有する下部筒部で構成し、前記上部筒部に前記空気取入れ筒を設ける構成とした流体継ぎ手である。
【００１４】
請求項３の発明は、請求項１の目的を達成すること、この目的を達成するための最適な空気排気用の環状開口の構造を提供すること等を意図する。
【００１５】
請求項３は、請求項１に記載の空気排気用の環状開口が、下部筒部の上部開口のやや上方で開口し、この部位に混合流域を形成する構成とした流体継ぎ手である。
【００１６】
請求項４の発明は、請求項１に記載の流体継ぎ手を設置するのに最適な用途を提案できること、縦樋の流れを確保することで横樋への雨水の流れ込みの確実性と、溢れの回避等に寄与すること等を意図する。
【００１７】
請求項４は、請求項１に記載の流体継ぎ手を、縦樋の流下管に配備する構成とした流体継ぎ手である。
【００１８】
請求項５の発明は、請求項１に記載の流体継ぎ手を設置するのに最適な用途を提案すること、洗面台から床面への水及び／又は湯等の溢出と、その汚れの回避を図ること等を意図する。
【００１９】
請求項５は、請求項１に記載の流体継ぎ手を、洗面台の流下管に配備し、前記空気取入れ筒に配管を接続し、この配管を前記洗面台に配備する構成とした流体継ぎ手である。
【００２０】
請求項６の発明は、請求項１に記載の流体継ぎ手を設置するのに最適な用途を提案すること、浴室の床面への汚水の溢出の回避と、その滑り及び／又は汚れの回避を図ること等を意図する。
【００２１】
請求項６は、請求項１に記載の流体継ぎ手を、浴槽の流下管に配備し、前記空気取入れ筒に配管を接続し、この配管を前記浴槽に配備する構成とした流体継ぎ手である。
【発明の効果】
【００２２】
請求項１の発明は、上部開口と下部開口を備えた二重構造の本体筒でなる流下管に介在する流体継ぎ手であって、
二重構造で形成した中間の空間を空気導入用として利用するとともに、空間の下端に空気排気用の環状開口を形成し、また本体筒の上部に空間と連通する空気取入れ筒を形成し、空気取入れ筒の自由端を開口し、また空間の下端に設けた空気排気用の環状開口が、本体筒の略中間部位に開放する構成とした流体継ぎ手である。
【００２３】
従って、請求項１は、流水管を二重構造とするとともに、この流下管に設けた空気取入れ筒を設ける構成を採用し、外気の取入れ及び／又は必要量の外気の取入れを図ることで、この流下管の流水の流れを確保できること、またこの流下管の詰りを、流水の水流を利用で解消できること等の特徴を有する。またこの発明は、前記の目的を達成するために最適な流水管の二重構造、またこの流下管に設けた空気取入れ筒及び空気排気用の環状開口の構造を提供できる実益がある。
【００２４】
請求項２の発明は、請求項１に記載の本体筒を、上下部開口を有する上部筒部と、上下部開口を有する下部筒部で構成し、上部筒部に前記空気取入れ筒を設ける構成とした流体継ぎ手である。
【００２５】
従って、請求項２は、請求項１の意図を達成できること、この目的を達成するための最適な本体筒と、空気取入れ筒の構造を提供できること等の特徴がある。
【００２６】
請求項３の発明は、請求項１に記載の空気排気用の環状開口が、下部筒部の上部開口のやや上方で開口し、部位に混合流域を形成する構成とした流体継ぎ手である。
【００２７】
従って、請求項３は、請求項１の意図を達成できること、この目的を達成するための最適な空気排気用の環状開口の構造を提供できること等の特徴がある。
【００２８】
請求項４は、請求項１に記載の流体継ぎ手を、縦樋の流下管に配備する構成とした流体継ぎ手である。
【００２９】
従って、請求項４は、請求項１に記載の流体継ぎ手を設置するのに最適な用途を提案できること、縦樋の流れを確保することで横樋への雨水の流れ込みの確実性と、溢れの回避等に寄与できること等の特徴がある。
【００３０】
請求項５は、請求項１に記載の流体継ぎ手を、洗面台の流下管に配備し、空気取入れ筒に配管を接続し、配管を前記洗面台に配備する構成とした流体継ぎ手である。
【００３１】
従って、請求項５は、請求項１に記載の流体継ぎ手を設置するのに最適な用途を提案できること、洗面台から床面への水及び／又は湯等の溢出と、その汚れの回避が図れること等の特徴がある。
【００３２】
請求項６は、請求項１に記載の流体継ぎ手を、浴槽の流下管に配備し、空気取入れ筒に配管を接続し、配管を浴槽に配備する構成とした流体継ぎ手である。
【００３３】
従って、請求項６は、請求項１に記載の流体継ぎ手を設置するのに最適な用途を提案できること、浴室の床面への汚水の溢出の回避と、その滑り及び／又は汚れの回避が図れること等の特徴がある。
【発明を実施するための最良の形態】
【００３４】
本発明の一例を説明する。
図面の説明をすると、図１は本発明の拡大断面図、図２は雨水用の縦樋に使用した一例を示す側面模式図、図３は洗面台の排水管に使用した一例を示す正面模式図、図４は浴室の排水管に使用した一例を示す正面模式図である。
【００３５】
１は上部開口１０と下部開口１１を備えた二重構造の本体筒１で、この本体筒１は縦樋、各所に設けられる排水管等の流下管Ａの途中（上下側の流下管Ａ１、Ａ２間）に設けられて流体継ぎ手となる。そして、この本体筒１は、二重構造を構成する外筒体２ｂと、この外筒体２ｂに対して下部が短くなった小径の内筒体２ａで構成する上部筒部２と、この上部筒部２に着脱自在に設けられる被嵌筒体３ａと下部筒体３ｂで構成する下部筒部３で構成される。そして、この本体筒１には、前記の如く、外筒体２ｂに対して下部が短くなった小径の内筒体２ａと、この長い外筒体２ｂの間に空気導入用の空間４を形成するとともに、この空間４の下端に空気排気用の環状開口５を形成する。この環状開口５は、外筒体２ｂと内筒体２ａの長さの違い（大径の外筒体２ｂの長さ＞小径の内筒体２ａの長さ）と、内筒体２ａの開口２ａ１の下方と、さらにこの外筒体２ｂの内面２ｂ１で構成される。
【００３６】
そして、この環状開口５の構成は一例であり、同様な作用をする構成は本発明の範疇である。またこの環状開口５には空間４を介して連通し、かつ外気に通ずる空気取入れ筒７が設けられており、この空気取入れ筒７を介してこの環状開口５に外気（空気）を取入れる構造である。この例では、空気取入れ筒７は外筒体２ｂの開口２ｂ２に突設されており、後述の如く、本体筒１への外気の取込みを図る。尚、この開口２ｂ２の形状は、環状に限定されず、オーロラ形、長方形等の形状として、空気の取込み量を多くし、流体の流れを加速することも可能である。
【００３７】
前記下部筒部３の被嵌筒体３ａは前記外筒体２ｂの外面２ｂ３に被嵌され、この外面２ｂ３に設けた鍔片２ｂ４に衝止し、所定の位置で確実に取付けられる。そして、この下部筒部３の広幅開口３ｃは前記空間４に開口する。またこの下部筒部３には絞り部位３ｄを経由して細径筒部３ｅを形成し、環状開口５に取込まれた外気が、この絞り部位３ｄから細径筒部３ｅに至る段階で旋回流となって流れ下る。これにより、この環状開口５に取込まれた外気の旋回流に誘導されるように、上部筒部２より流下する流下水、排水等（流体）に旋回流を付与し、この流体は外気とともに絞り部位３ｄから細径筒部３ｅに亘って流れ、下側の流下管Ａ２内の流体の流れを加速かつ促進する。この旋回流の流れで、下側の流下管Ａ２（下部筒部３を含む、以下同じ）の詰りの解消と、この下側の流下管Ａ２に付着したゴミ等を剥離することも可能であり、全体としてこの下側の流下管Ａ２の清掃に役立つことが考えられる。また前記上下部開口１０、１１の内径は略同じであるが、旋回流の生成を考慮し、下部開口１１の内径を上部開口１０の内径に対して若干細くする。
【００３８】
尚、後述するように上部筒部２には上側の流下管Ａ１が、下部筒部３には下側の流下管Ａ２がそれぞれ接続される。以下、使用の一例を、図２〜図４について説明する。
【００３９】
図２は、雨水用の縦樋Ｂに使用した一例を示す側面模式図であり、この上下側の縦樋Ｂ１、Ｂ２間に本体筒１が設けられており、この例では上部筒部２には上側の縦樋Ｂ１が、下部筒部３には下側の縦樋Ｂ２がそれぞれ接続される。そして、この例では空気取入れ筒７が下向きに設けられ、その開口にネット等の小鳥、虫除け部材（図示せず）が設けられている。この上側の縦樋Ｂ１から上下部筒部２、３を介して下側の縦樋Ｂ２に雨水が流れ、前述の如く、外気の旋回流で雨水が誘導されつつ、この流下する雨水の旋回流で、下側の縦樋Ｂ２（下部筒部３を含む、以下同じ）に付着するゴミの剥離と、詰りの解消に役立ち、例えば、雨水の有効な流れと、横樋Ｃからの溢れる雨水の減少化が図れるものと考えられる。そして、この例では、縦樋Ｂの内径と上下部筒部２、３の上下部開口１０、１１の外径は略同じである。図中Ｄは建屋を示す。また図示しないが横樋Ｃの直下に流体継ぎ手を設け、従来の縦樋Ｂを設ける構造を採用すれば、経費の削減と、設備の有効利用並びに工事の簡略化等に寄与できる。
【００４０】
また図３は洗面台Ｅの排水管Ｆに使用した一例を示す正面模式図であり、この上下側の排水管Ｆ１、Ｆ２間に本体筒１が設けられており、この例では上部筒部２には上側の排水管Ｆ１が、下部筒部３には下側の排水管Ｆ２がそれぞれ接続される。そして、この例では空気取入れ筒７にはホース（配管）２０を設け、このホース２０を洗面台Ｅの上面に至る構成が理想である。その理由は、確実に外気を取入れるためである。この上側の排水管Ｆ１から上下部筒部２、３を介して下側の排水管Ｆ２に汚水（排水）が流れ、前述の如く、外気の旋回流で汚水が誘導されつつ、この流下する汚水の旋回流で、下側の排水管Ｆ２（下部筒部３を含む、以下同じ）に付着するゴミの剥離と、詰りの解消に役立ち、例えば、汚水の有効な流れと、洗面台Ｅからの溢れる汚水をなくすことができるものと考えられる。そして、この例では、排水管Ｆの内径と上下部筒部２、３の上下部開口１０、１１の外径は略同じである。図中Ｇはトラップ、Ｈは弁を示す。
【００４１】
さらに図４は浴室Ｊの排水管Ｆに使用した一例を示す正面模式図であり、この上下側の排水管Ｆ１、Ｆ２間に本体筒１が設けられており、この例では上部筒部２には上側の排水管Ｆ１が、下部筒部３には下側の排水管Ｆ２がそれぞれ接続される。そして、この例では空気取入れ筒７にはホース（配管）２０を設け、このホース２０を浴槽Ｊ１の上面に至る構成が理想である。その理由は、確実に外気を取入れるためである。この上側の排水管Ｆ１から上下部筒部２、３を介して下側の排水管Ｆ２に汚水（排水）が流れ、前述の如く、外気の旋回流で汚水が誘導されつつ、この流下する汚水の旋回流で、下側の排水管Ｆ２（下部筒部３を含む、以下同じ）に付着するゴミの剥離と、詰りの解消に役立ち、例えば、汚水の有効な流れと、床面Ｋへの溢出及び／又は滑りの回避に役立ち有益であると考えられる。そして、この例では、排水管Ｆの内径と上下部筒部２、３の上下部開口１０、１１の外径は略同じである。他の構成は、図３の例に準ずる。
【図面の簡単な説明】
【００４２】
【図１】図１は本発明の拡大断面図
【図２】図２は雨水用の縦樋に使用した一例を示す側面模式図
【図３】図３は洗面台の排水管に使用した一例を示す正面模式図
【図４】図４は浴室の排水管に使用した一例を示す正面模式図である。
【符号の説明】
【００４３】
１              本体筒
１０            上部開口
１１            下部開口
２              上部筒部
２ａ            内筒体
２ａ１          開口
２ｂ            外筒体
２ｂ１          内面
２ｂ２          開口
２ｂ３          外面
２ｂ４          鍔片
３              下部筒部
３ａ            被嵌筒体
３ｂ            下部筒体
３ｃ            広幅開口
３ｄ            絞り部位
３ｅ            細径筒部
４              空間
５              環状開口
７              空気取入れ筒
２０            ホース
Ａ              流下管
Ａ１            上側の流下管
Ａ２            下側の流下管
Ｂ              縦樋
Ｂ１            上側の縦樋
Ｂ２            下側の縦樋
Ｃ              横樋
Ｄ              建屋
Ｅ              洗面台
Ｆ              排水管
Ｆ１            上側の排水管
Ｆ２            下側の排水管
Ｇ              トラップ
Ｈ              弁
Ｊ              浴室
Ｊ１            浴槽
Ｋ              床面
【図１】
2007016817.tif 000003
【図２】
2007016817.tif 000004
【図３】
2007016817.tif 000005
【図４】
2007016817.tif 000006